(57)【要約】【課題】金属製の文字板を用いて装飾性、デザインの多様性、高級感を向上させることができ、さらにはアンテナの受信感度を良好に維持することができ、加えてソーラーセルによる集光効率が良好で、ひいてはこのソーラーセルが外部に露見することを防止できるソーラー機能付き電波時計を提供すること。【解決手段】少なくとも一方の端面が開口して形成された時計ケース本体７２内に、外部からの電波を受信するアンテナ８４と、駆動源としてソーラーセル８６が収納されているとともに、アンテナ８４の上方部に金属製文字板８０が配置され、かつアンテナ８４の両側に構成された開放端部８４ａ、８４ｂの少なくとも一方の開放端部と対応する金属製文字板部分に開口部９０が形成され、さらにこの開口部９０の上部に、多面カットされた非導電性の装飾部材８５が配置されることにより開口部９０が閉塞され、さらにその上方に風防ガラス７４が装着されていることを特徴とする。【選択図】図２
2010230374.tif 000002
【特許請求の範囲】
【請求項１】
少なくとも一方の端面が開口して形成された時計ケース本体内に、外部からの電波を受信するアンテナが収納されているとともに、前記アンテナの上方部に金属製文字板が配置され、かつ前記アンテナの両側に構成された開放端部の少なくとも一方の開放端部と対応する前記金属製文字板部分に開口部が形成され、さらにこの開口部の上部に、多面カットされた非導電性の装飾部材が配置されることにより前記開口部が閉塞され、さらにその上方に風防ガラスが装着されていることを特徴とする無線機能付き時計。
【請求項２】
前記開口部は、平面視で円弧状、環状、扇状、矩形状、円形状のいずれかの形状に形成されていることを特徴とする請求項１に記載の無線機能付き時計。
【請求項３】
前記開口部は、複数個形成されていることを特徴とする請求項１または２に記載の無線機能付き時計。
【請求項４】
前記装飾部材は、ガラスまたは合成樹脂のいずれかにより形成されていることを特徴とする請求項１に記載の無線機能付き時計。
【請求項５】
前記時計ケース本体内に略円筒状のソーラーセルが具備され、この略円筒状のソーラーセルが前記時計ケース本体の内側壁に沿うように立設して配置されていることを特徴とする請求項１に記載の無線機能付き時計。
【請求項６】
前記時計ケース本体内に平板環状のソーラーセルが具備され、この平板環状のソーラーセルが前記時計ケース本体の一方の開口端面の上に配置されていることを特徴とする請求項１に記載の無線機能付き時計。
【請求項７】
前記風防ガラスが外方に膨出するドーム状であり、かつ多面カットされていることを特徴とする請求項１に記載の無線機能付き時計。
【発明の詳細な説明】
【技術分野】
【０００１】
本発明は、時計に関するもので、詳しくは、高級感を持たせるために金属製の文字板が採用され、かつ外部からの電波を受信できる無線機能を備えた時計に関する。
【背景技術】
【０００２】
従来、腕時計においては、装飾性およびデザインの多様性さらには高級感を向上させるために、時計ケース本体の上面（視認側）に、多面カット処理されたガラス製の風防を備えた腕時計が提案されている。
【０００３】
例えば、図１４および図１５に示した特許文献１の腕時計７では、両端が開口して形成された筒状の時計ケース本体１の上面に環状の段部９が形成され、この段部９に多面カット処理された風防ガラス２が装着されている。
【０００４】
そして、この多面カット処理された風防ガラス２は、複数の多面カット領域２Ａ，２Ｂ，２Ｃ，２Ｄと、平坦な視認領域２Ｅとを備えており、視認領域２Ｅが多面カット領域２Ａ，２Ｂ，２Ｃ，２Ｄにより囲まれている。
【０００５】
このような腕時計７では、視認領域２Ｅを介して内部に表示された時刻などの情報を外部から視認できるとともに、カット処理された風防ガラス２により装飾性が向上されている。
【０００６】
ところで、近年、特に腕時計においては、ソーラーセル（太陽電池）によって駆動されるいわゆるソーラー機能付きの時計が市場に提供されている。例えば、図１６に示した特許文献２のソーラー機能付きの時計１０では、時計ケース本体１１の上面に環状凹部１２が形成され、この環状凹部１２内に平板環状のソーラーセル３が略水平状態に収容されている。また、このソーラーセル３の上面に風防ガラス１３が配置され、風防ガラス１３の下面がソーラーセル３の受光面に近接して配置されている。このようなソーラー機能付きの時計１０では、図１４および図１５に示したボタン電池仕様の時計７のように、内部の電池を周期的に交換するという煩雑な作業が不要になる。
【０００７】
また、図１６に示したソーラー機能付きの時計１０では、風防ガラス１３を介して平板環状のソーラーセル３が透けて見えるため、外観品質が劣るという問題がある。
一方、図１７に示した特許文献３のソーラー機能付きの時計２０では、図１６に示した平板環状のソーラーセル３に代えて円筒状に形成されたソーラーセル２４が採用されている。すなわち、このソーラー機能付きの腕時計２０では、上下方向の両端面が開口して形成された時計ケース本体２２の径内方側に、円筒状のソーラーセル２４が立設した状態で収容され、その内側に見返しリング２６が配設されている。
【０００８】
なお、この見返しリング２６は、風防ガラス２８と文字板３０との間に配置された径内方側に向かってスタジアム状の傾斜面を備えたリング状の部材であり、この見返しリング２６は、ソーラーセル２４が発電できるように、光透過可能な部材から形成されている。
【０００９】
このように円筒状のソーラーセル２４が採用されたソーラー機能付きの時計２０では、図１６に示した平板環状のソーラーセル３を使用した場合に比べてソーラーセル２４が外方から目立たなくなるが、その一方で光の集光上、風防ガラス２８と文字板３０との距離Ｌ１を大きくする必要がある。その分、時計ケース本体２２の厚さを大きく確保しなければならない。また、このソーラー機能付きの時計２０であっても、風防ガラス２８および見返しリング２６を介して円筒状のソーラーセル２４を見たときに、このソーラーセル２４を完全に見えなくすることはできない。したがって、未だ美感上の改善が必要である。
【００１０】
また、図１８に示した特許文献４のソーラー機能付きの時計３０では、風防ガラス２９の外周部に厚肉部２９ａを形成し、この厚肉部２９ａにプリズム機能を発揮させることにより、ソーラーセル２４の集光効率を向上させている。
【００１１】
しかしながら、このソーラー機能付き時計３０では、風防ガラス２９の厚肉部２９ａを形成する加工が複雑でコスト高になる問題がある。
さらに、この厚肉部２９ａを介してソーラーセル２４に集光される光は部分的なものであり、多くの光は発電に寄与していない。したがって、発電効率の向上という点で未だ不十分である。
【００１２】
また、近年では、上記した太陽光で発電を行なうソーラー機能に加えて、外部からの電波を受信してその時刻データを表示時刻に合致させる無線機能付きの時計が提供されている。このような無線機能付き時計では、受信用のアンテナが不可欠で、そのアンテナを時計ケース本体内に収容する必要がある。
【００１３】
図１９はこのようにソーラー機能と無線機能とを備えた時計（以下では、単に、無線機能付き時計ともいう）の一例を示したものである。
この無線機能付き時計３２では、ムーブメント３４の側方にアンテナ３６が配置されるとともに、ムーブメント３４の径外方側に円筒状のソーラーセル３８が配置され、その上方に平板状の文字板６０が配置されている。
【００１４】
そして、これらムーブメント３４、ソーラーセル３８、文字板６０などは時計ケース本体４２内に収容され、風防ガラス４４と裏蓋４６との間で位置決め固定される。
このような無線機能付き時計３２では、このアンテナ３６を備えるに際し、電波を受信する感度からすれば時計ケース本体４２および裏蓋４６などは合成樹脂などの非導電性の素材から形成されることが好ましい。
【００１５】
しかしながら、他の通信機器と異なり、腕時計は特に装飾品、装身具としての美感や高級感を持たせる必要があることから、これら外部に露出する部材は、合成樹脂などの非導電性の素材ではなく、良導電体である金属から形成される場合が多い。
【００１６】
また、内方に収容される平板状の文字板６０も美感や高級感を持たせるためには外側部材と同様に金属から形成されることが好ましい。一方、無線機能付き時計の場合、平板状の文字板６０が導電性の金属から形成されていると、アンテナ３６への受信感度が低下してしまい受信不良を起こしてしまう。
【００１７】
ここで、例えば、特許文献５に開示された図２０のボタン電池駆動の無線機能付き時計４４では、金属製の文字板６０の一部に開口部６２を設け、この開口部６２の背後（裏蓋側）にアンテナ（図１９のアンテナ３６に相当）を収容するとともに、開口部６２を日表示の表示窓として利用し、これにより、アンテナに外部電波が受信されるようにし、しかも美感を損なわないようにしたものが提案されている。
【００１８】
なお、図２０の時計４４などで使用されているアンテナ３６は、バーアンテナと称されるもので、軸芯方向の開放端部から電波が受信されるため、受信特性を維持するには、少なくとも一方の開放端部を金属製の文字板に設けた開口部６２の直下に配置しておく必要がある。
【先行技術文献】
【特許文献】
【００１９】
【特許文献１】特開昭５５−０４７４７３号公報
【特許文献２】特開昭５２−１０６７６３号公報
【特許文献３】国際公開ＷＯ  ２００４／０６６０４２  Ａ１
【特許文献４】特公昭６２−３２４２５号公報
【特許文献５】特開２００６−１８９３７９号公報
【発明の概要】
【発明が解決しようとする課題】
【００２０】
ところで、図２０に示した時計４４のように文字板６０に開口部６２が形成されていれば、開口部６２の下方に収容された図示しないアンテナが外部電波を受信できるものの風防ガラス６４から内部の文字板６０を覗き込んだ場合に、その開口部６２が露見し易く、また日表示が文字板６０に対して横方向に移動するため、開口部６２の縁部に隙間が形成され易く、その隙間がユーザーの視界に入ってしまい美感上好ましくない。
【００２１】
また、上記無線機能付き時計４４では開口部６２を日表示などの表示窓とする使用上の制限があることから、種々の機能、デザインを具備させる時計に適用させることが困難でデザインの多様化を図ることができない。
【００２２】
本発明は、このような実情に鑑み、特に無線機能を備えた時計であっても、金属製の文字板を用いて装飾性、デザインの多様性を図るとともに高級感を向上させることができ、さらには無線機能にソーラー機能を併せ持つ場合であってもアンテナの受信感度を良好に維持しつつソーラーセルによる集光効率が良好で、またこのソーラーセルが外部に露見することを可及的に防止できる無線機能付き時計を提供することを目的とする。
【課題を解決するための手段】
【００２３】
上記目的を達成するための本発明に係る無線機能付き時計は、
少なくとも一方の端面が開口して形成された時計ケース本体内に、外部からの電波を受信するアンテナが収納されているとともに、前記アンテナの上方部に金属製文字板が配置され、かつ前記アンテナの両側に構成された開放端部の少なくとも一方の開放端部と対応する前記金属製文字板部分に開口部が形成され、さらにこの開口部の上部に、多面カットされた非導電性の装飾部材が配置されることにより前記開口部が閉塞され、さらにその上方に風防ガラスが装着されていることを特徴としている。
【００２４】
ここで、前記開口部は、平面視で円弧状、環状、扇状、矩形状、円形状のいずれかの形状に形成されていることが好ましい。
また、本発明では、前記開口部は、複数個形成されていても良い。
【００２５】
さらに、本発明では、前記装飾部材は、ガラスまたは合成樹脂のいずれかにより形成されていることが好ましい。
また、前記時計ケース本体内に略円筒状のソーラーセルが具備され、この略円筒状のソーラーセルが前記時計ケース本体の内側壁に沿うように立設して配置されていても良い。
【００２６】
さらに、前記時計ケース本体内に平板環状のソーラーセルが具備され、この平板環状のソーラーセルが前記時計ケース本体の一方の開口端面の上に配置されていても良い。
また、前記風防ガラスが外方に膨出するドーム状であり、かつ多面カットされていても良い。
【００２７】
本発明によれば、金属製文字板に形成された開口部の上部に多面カットされた非導電性の装飾部材が配置され、さらにその上方に風防ガラスが配置されているので、下方の配置された金属製文字板の開口部をユーザーから見え難くすることができる。
【００２８】
したがって、美感上良好である。また、その開口部を塞ぐ装飾部材を様々な用途に使用することができる。また、多面カットされた装飾部材により、高級感を持たせることができる。
【００２９】
さらに、開口部に対面する位置にアンテナが収容されているので、そのアンテナにより外部からの電波を確実に受信することができる。また、風防として多面カットされた風防ガラスを採用すれば、風防ガラスおよび多面カットされた装飾部材を介して光が屈折され、これにより効率的にソーラーセルに集光させることができるので、発電効率を良好にすることができる。
【００３０】
また、このように集光効率が高いので、発電効率を向上させるために、風防ガラスと表示板との間の距離を大きくする必要がなく、時計の厚さを薄くすることに寄与する。
さらに、このように風防ガラスが、外方すなわち視認側に膨出するようにドーム状に形成された多面カットであれば、この多面カット面で光が屈折されて、ソーラーセルに集光させる集光効果が大きくなり、より多くの光をソーラーセルのソーラー受光面へ集光でき、ソーラー発電機能を向上させることができる。
【発明の効果】
【００３１】
本発明によれば、金属製文字板の開口部の下面に、外部電波を受信するアンテナが収容され、そのアンテナの少なくとも一方の開放端部が金属製文字板の開口部に対向するように収容されているので、文字板を金属製とした場合であっても、外部電波を良好に受信することができる。また、その金属製文字板の開口部の上方には、多面カットされた非導電性の装飾部材が配置され、この装飾部材により開口部が覆われているので、開口部が目立つことはない。さらに、装飾部材が配置されることにより、開口部の外部への露見が防止される。しかも、装飾部材が装着された開口部の上方に風防ガラスが配置されるので、ユーザーが文字板を視認した場合に、金属製文字板の開口部およびその周囲をより一層目立たなくすることができ、開口部を設けたことによる美感の低下を生じさせることがない。
【００３２】
また、風防がドーム形状であり、かつ多面カットされていれば、装飾性が高く、美感にも優れデザインのバリエーションの拡大化が図れる。さらに、風防が多面カットされていれば、風防および装飾部材の二重のカット面を介して金属製文字板の開口部を視認するので、より一層開口部を目立たなくすることができる。これにより斬新なデザインの無線機能付き時計を提供することができる。
【００３３】
さらに、多面カットされた風防ガラスによって光が散乱されるので、これによっても開口部あるいは下方に存在するソーラーセルなどを目立たなくすることができる。
また、円筒状のソーラーセルを採用した場合であっても、集光効率が高いので、風防ガラスと文字板との間の距離を大きくする必要がない。したがって、時計の厚さを薄くすることに寄与する。
【図面の簡単な説明】
【００３４】
【図１】図１は、本発明一実施例による無線機能付き時計の斜視図である。
【図２】図２は、図１に示した無線機能付き時計の断面図である。
【図３】図３は、図１に示した無線機能付き時計の分解斜視図である。
【図４】図４は、図１に示した無線機能付き時計の文字板とアンテナとの関係を示した概略平面図である。
【図５】図５は、本発明の他の実施例による無線機能付き時計の概略断面図である。
【図６】図６は、本発明の他の実施例による無線機能付き時計の概略断面図である。
【図７】図７は、図６に示した他の実施例による無線機能付き時計の概略断面図である。
【図８】図８は、本発明のさらに他の実施例による無線機能付き時計の概略断面図である。
【図９】図９は、本発明のさらに他の実施例による無線機能付き時計の概略断面図である。
【図１０】図１０は、本発明のさらに他の実施例による無線機能付き時計の概略断面図である。
【図１１】図１１は、本発明のさらに他の実施例による無線機能付き時計の概略断面図である。
【図１２】図１２は、本発明のさらに他の実施例による無線機能付き時計の概略断面図である。
【図１３】図１３は、本発明のさらに他の実施例による無線機能付き時計の概略断面図である。
【図１４】図１４は、特開昭５５−０４７４７３号公報に開示されている従来の腕時計の平面図である。
【図１５】図１５は、図１４に示した従来の腕時計の断面図である。
【図１６】図１６は、特開昭５２−１０６７６３号公報に開示されている従来の腕時計の断面図である。ある。
【図１７】図１７は、国際公開ＷＯ ２００４／０６６０４２ Ａ１に開示されている従来の腕時計の断面図である。
【図１８】図１８は、特公昭６２−３２４２５号公報に開示された従来の腕時計の断面図である。
【図１９】図１９はソーラー機能と無線機能とを備えた従来の無線機能付き時計の分解斜視図である。
【図２０】図２０は従来のボタン電池駆動の無線機能付き時計で、金属製の文字板を備えた時計の平面図である。
【発明を実施するための形態】
【００３５】
以下、本発明の実施例に係る無線機能付き時計について図面を参照しながら説明する。
図１ないし図３は、本発明の一実施例による無線機能付き時計７０を示したものである。
【００３６】
この時計７０では、時計ケース本体７２が略円筒状に形成され、その時計ケース本体７２の上方に多面カット処理された風防ガラス７４が装着されている。また、この無線機能付き時計７０では、図２に示したように、時計ケース本体７２の下端側開口にパッキン７６を介して裏蓋７８が装着されている。
【００３７】
ここで、本明細書において、「ガラス」とは、例えば、強化ガラス、白板ガラス、青板ガラスなどの無機ガラス、高純度のアルミナを巨大結晶させたサファイアガラスなど全てを含む意味であり、特に限定されるものではない。
【００３８】
なお、強化ガラスとは、ガラスの表面に圧縮層を形成し、この圧縮層によりガラスが外力による衝撃を受けたとき、破壊に対する抵抗力を高めたものである。また、サファイアガラスは、外部からの衝撃に対する圧縮応力が強化ガラスと比べて数倍高く、また物と物とを擦り合わせた時にできる表面の傷は、強化ガラスに比較して傷が付き難い。さらに、単結晶サファイアは、高純度のアルミナを人工的に巨大結晶に成長させたもので、この単結晶サファイアが俗にサファイアガラスと呼ばれている。
【００３９】
単結晶サファイアは、化学的には宝石のサファイア、ルビー（コランダム・硬玉）とほとんど同じであるが、純度という観点からみれば宝石よりも混ざり物のない純粋な無色透明の結晶体である。宝石では、アルミナに微量のクロムが混ざると赤く発色してルビーに、鉄やチタンが混ざると青く発色してサファイアになる。サファイアには様々な製造方法があるが、主な方法としてはヴェルヌイ法、ＥＦＧ法などがある。サファイアはコランダムのうち宝石としての価値があり、かつ色が赤でないものをいう。不純物の違いで濃赤色を呈するものはルビー（不純物：クロム）となる。「青玉」という和名があるように、一般に濃紺あるいは青紫色をしたもの（不純物：鉄、チタン）と考えられているが、濃い赤以外のあらゆる色、黄色や茶色、薄紅色などのものもサファイアである。また、工業的に生産される単結晶コランダムもサファイアと呼ばれる。この場合、サファイアガラスなどと呼ばれることがあるが、結晶なのでガラスではない。
【００４０】
さらに、これらの「ガラス」は、透明、半透明であっても良く、色つきのもの、あるいは異なる色を組み合わせたものであっても良い。
時計ケース本体７２の材料は、美感の観点からすれば、例えば、金、銀、銅、プラチナ、白金、黄銅、アルミニウム、マグネシウム、亜鉛、チタン、またはこれらの合金などの金属製であることが好ましい。しかしながら、金属製に限定されるものではなく、セラミック、超硬材などを採用することもできる。また、裏蓋７８もどのような材料から形成されていても良いが、美感を考慮すれば、例えば、ステンレスなどの金属から形成されていることが好ましい。
【００４１】
本実施例では、時計ケース本体７２および裏蓋７８は、高級感を持たせるために、ともに金属から形成されている。
上記風防ガラス７４は、視認側に大きく膨出して略ドーム形状に形成されている。そして、この風防ガラス７４は、多面カットされた多面カット領域７４ａと、多面カットされていない平坦な視認領域７４ｂとを備えている。ここで、多面カットとは、複数の面が様々な角度で交わった面を有する処理をいう。このように、多面カットされていれば、多面カット領域７４ａの下方を見え難くことができる。また、多面カット領域７４ａの内面に内面被膜を形成することもできる。
【００４２】
このように多面カット領域７４ａの下面に内面被膜を形成すれば、内面被膜を介して光が反射、拡散されるので、多面カット領域７４ａの下方に存在するソーラーセル８６および後述する文字板８０の開口部９０などを、さらに見え難くすることができる。
【００４３】
また、この内面被膜に着色、模様を施すことによって、装飾的にもデザインとして構成することができる。
内面被膜としては、有色被膜や反射被膜とすることができる。
【００４４】
また、内面被膜は、印刷、スピンコート、ディッピング、刷毛塗り、噴霧塗装、静電塗装、電着塗装等の塗装などにより形成した、例えば、メラミン樹脂、アクリル樹脂、エポキシ樹脂などの合成樹脂を被覆することによって形成することができる。
【００４５】
さらに、内面被膜は、印刷、スピンコート、ディッピング、刷毛塗り、噴霧塗装、静電塗装、電着塗装等の塗装などにより形成した、例えば、有機顔料若しくは無機顔料を含む、インクまたは塗料を、被覆することによって形成することができる。また、内面被膜は、印刷、スピンコート、ディッピング、刷毛塗り、噴霧塗装、静電塗装、電着塗装等の塗装などにより形成した、例えば、有機染料若しくは無機染料を含む、インクまたは塗料を、被覆することによって形成することができる。
【００４６】
さらに、内面被膜は、金、銀、銅、黄銅、アルミニウム、マグネシウム、亜鉛、チタン、クロムなどの金属から選択した少なくとも１種の金属、またはこれらの少なくとも１種の金属の合金を、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、電解メッキ、無電解メッキ等の湿式メッキ法で、非常に薄い金属膜を形成しても良い。
【００４７】
また、上記した各種の内面被膜を組み合わせることもでき、模様を形成するようにすることも可能である。さらに、多面カット領域の内面全てに、内面被膜を形成しても良いが、部分的に一部に内面被膜を形成するようにしてもよい。
【００４８】
このような風防ガラス７４を時計ケース本体７２に装着する方法は、特に限定されるものではなく、嵌合、圧入、かしめなどの機械的な接合、粘着剤または接着剤による接合、ゴム、樹脂などのパッキンを幅方向に圧縮しての固定方法などを用いることができる。
【００４９】
上記時計ケース本体７２内には、時計を駆動するムーブメント８２、外部電波を受信するアンテナ８４、円筒状のソーラーセル８６、平板状の文字板８０、この文字板８０上に配置される複数の装飾部材８５、文字板８０の外周上に配置される見返しリング８８などが収容されている。なお、図面の煩雑さを避けるために、図２においてはムーブメント８２を、図４においては装飾部材８５をそれぞれ非表示としている。
【００５０】
図２に示したように、上記ムーブメント８２は、略円柱状に形成されている。
図４に示したように、上記アンテナ８４は、文字板８０に形成された開口部９０の下方に収容される。また、アンテナ８４より開口部９０の方が若干大きく形成されている。なお、このアンテナ８４は、ループ開口面である開放端部８４ａ、８４ｂとを結ぶ延長線方向の磁界に反応する指向性を有している。
【００５１】
図２に示したように、上記円筒状のソーラーセル８６は、後述する導電性の金属製文字板８０の外側であって、ケース本体７２の内側面に形成された環状凹所内に収容されている。そして、このソーラーセル８６はケース本体７２の環状凹部の端面に隠されるので外部への露見が防止されている。また、ソーラーセル８６の下端は文字板８０より下方に配置されている。
【００５２】
本実施例における文字板８０は、時計ケース本体７２並びに裏蓋７８と同様に導電性を備えた金属から形成されている。なお、この金属製文字板８０は、金属製でなくても樹脂材料などを母体として金属材料が表面にコーティングされたものでも良い。あるいは導電性プラスチックに金属色を塗布したものでも良い。
【００５３】
このように、本実施例では、時計全体が金属光沢を有する材料を基準に形成されているため、高級感が発揮されている。また、金属製文字板８０には、図４に概略を示したように、ループアンテナ８４の直上位置に円弧状の開口部９０が形成され、さらに時針、秒針などが取り付けられる中心孔８０ａを支点として、この開口部９０と点対称となる位置に略同じ形状の開口部９２が形成されている。
【００５４】
なお、ループアンテナ８４の直上に位置する開口部９０は、アンテナ８４全体を含む大きさに形成されていなくても良い。要は、バーアンテナ８４の開放端部８４ａ、８４ｂのいずれか一方から外部の電波を受信できれば良い。したがって、少なくともいずれか一方の開放端部８４ａ、８４ｂと対向する部分が外方に開放されていれば良い。
【００５５】
また、アンテナ８４と無関係の位置に形成された開口部９２は、美感を整えるために形成されたものであるため必須のものではない。美感を考慮して他の開口部９２を形成する場合は、一方の開口部９０と対称位置であることが好ましい。しかしながら、対称でない他の位置であっても良い。また、これらの開口部９０，９２を、全周に広がる環状の１つの開口部としても良い。
【００５６】
このように文字板８０に形成される開口部は、実施例に何ら限定されない。また開口部９０の他の形状としては、円弧状、環状、扇状、矩形状、円形状などを例示することができ、これらの開口部をデザインあるいは機能にあわせて適宜採用することができる。
【００５７】
上記装飾部材８５は、このような金属製の文字板８０の開口部９０，９２などを覆う装飾用として用意されたものである。よって、形成する開口部９０が一個であれば、装飾部材８５も一個で良い。
【００５８】
本実施例の装飾部材８５は、図２に示したように、開口部９０，９２に嵌合される脚部８５ａと、その上部に延出された本体部８５ｂとから構成され、本体部８５ｂの上面は、風防ガラス７４と同様に、表面が多面カット処理されている。なお、この装飾部材８５における脚部８５ａは必須でなく、本体部８５ｂに多面カット処理が施されていれば、その下面は平坦に形成されていても良い。このように下面が平坦に形成された装飾部材であれば、開口部９０，９２の上部に接着などで取り付けることができる。
【００５９】
上記実施例の装飾部材８５は、上述の風防ガラス７４と同様に非導電性の部材からなり透光性を有している。具体的には、ガラスあるいは合成樹脂のいずれかから形成されていることが好ましい。
【００６０】
さらに、本実施例では、アンテナ８４が配置されない開口部９２に対応する装飾部材８５の下面には、反射被膜９３が形成されている。この反射被膜は、風防ガラス７４の内面に形成する反射被膜と同様に形成することができる。要は、この反射被膜９３から光が反射すれば良い。このような反射被膜９３が開口部９２の下面に形成されていれば、開口部９２に入射された光を反射し、見返しリング８８を介してソーラーセル８６に集光させることができる。
【００６１】
また、見返しリング８８は透光性の部材からなり、ソーラーセル８６の前面に配置されている。したがって、ソーラーセル８６の発電効率が損なわれることはなく、しかもこの見返しリング８８によりソーラーセル８６の外部への露見が防止されている。
【００６２】
見返しリング８８を構成する材料としては、光を透過する材料であれば特に限定されるものではなく、例えば、アクリル樹脂、ポリカーボネイト樹脂などの透明樹脂、ガラス、サファイアガラス、セラミックなどから形成することができる。
【００６３】
また、見返しリング８８には、光を透過可能な着色膜、指標（数字、植字、石、電鋳時字、時字印刷、切分印刷などを含む）、ネーム印刷、夜光塗料層、模様（梨地模様などを含む）、または、凹凸などの装飾部材を設けることも可能である。
【００６４】
本実施例による無線機能付き時計７０は上記のように形成されているが、以下にその作用について説明する。
先ず、時計ケース本体７２、裏蓋７８、文字板８０が金属から形成されているので、時計として高級感を持たせている。
【００６５】
また、金属製の文字板８０に形成した開口部９０の下方にアンテナ８４が収容され、しかも、本実施例の場合、図４に示したように、アンテナ８０の両方の開放端部８４ａ、８４ｂが開口部９０に対向して配置されているので、外部からの電波を良好に受信することができる。
【００６６】
また、開口部９０、９２の上面は、図２に示したように、表面が多面カットされた装飾部材８５、８５により覆われているので、開口部９０，９２が外部に露見することがない。また２つの装飾部材８５は、点対称位置に配置されているので、美感的にも調和が良い。しかも、装飾部材８５、風防ガラス７４は、いずれも多面カット処理がなされているので、外部から多面カット領域７４ａを介して視認した場合により効果的に開口部９０、９２などを目立たなくすることができる。
【００６７】
さらに、円筒状のソーラーセル８６は、時計ケース本体７２の内側面に形成された環状凹所内に収容されているので、外部から目立つことがない。
また、本実施例では、円筒状のソーラーセル８６がこのような位置に収容されているとしても、十分に集光し太陽発電を行なうことができる。
【００６８】
すなわち、風防ガラス７４が視認側に膨出するように形成されているので、図２に示したように、この多面カット領域７４ａで光が屈折されて、ソーラーセル８６に集光させる集光効果が大きくなり、より多くの光をソーラーセル８６へ集光させることができる。
【００６９】
また、見返しリング８８を透過した光は、この見返しリング８８の作用により円筒状のソーラーセル８６に集光させることができる。
また、風防ガラス７４を介して文字板８０の中央側に入射した光は、文字板８０で反射され、風防ガラス７４の内面あるいは装飾部材８５に入射するので、その光をソーラーセル８６に導くことができる。
【００７０】
また、アンテナ８４とは無関係の開口部９２においては、装飾部材８５の下面に形成された反射被膜９３に光が反射されることにより、その光を見返しリング８８を介してソーラーセル８６に導くことができる。
【００７１】
このように、本実施例では、ソーラーセル８６が円筒状に形成され、さらに風防ガラス７４と装飾部材８５がともに多面カット処理がなされているので、あらゆる方向から入射する外部の光を屈折させて、より多くの光をソーラーセル８６に集光させることができる。したがって、発電効率が良好である。
【００７２】
さらに、見返しリング８８は、それ自体装飾性が高いので、装飾部材８５と相まってデザインバリエーションの拡大化が図れ、斬新なデザインの時計を提供することができる。
なお、本実施例では、風防ガラス７４が多面カットされているが、風防ガラス７４は、多面カットされていることに限定されない。
【００７３】
以上、本発明の一実施例について説明したが、本発明は上記実施例に何ら限定されない。
例えば、上記実施例では、円筒状のソーラーセル８６を採用しているが、ソーラーセルとして平板環状のソーラーセルを使用することもできる。
【００７４】
図５は、平板環状のソーラーセル９４を使用した無線機能付き時計１００を示したものである。なお、以下の実施例では、上述した実施例と同一要素は同一符号を付してその詳細な説明は省略する。また、以下の各実施例では、全て図示していないものの時計ケース本体内には、ソーラーセルが収容され、これによりソーラー機能が発揮されるものとする。
【００７５】
図５の平板環状のソーラーセル９４は、円筒状のソーラーセル８６を用いた場合と異なって、時計ケース本体７２の上方の開口端面に配置される。そして、ソーラーセル９４は、多面カットされた風防ガラス７４の下面に対向している。その他の構成、例えばアンテナ８４の上方に装飾部材８５が配置される点、文字板８０が導電性の金属から形成されている点、風防ガラス７４や装飾部材８５の表面が多面カットされている点などは、上記実施例と同様である。
【００７６】
このような無線機能付き時計１００であっても、風防ガラス７４の多面カット領域７４ａを介してソーラーセル９４に外部の光を集光させることができる。また、アンテナ８４は文字板８０に形成した開口部９０を介して外部からの電波を良好に受信することができる。さらに、開口部９０は装飾部材８５により覆われるので美感が損なわれることはない。
【００７７】
図６および図７は、さらに他の実施例を示したものである。
図６および図７に示した実施例の無線機能付き時計５０では、図１に示した無線機能付き時計７０の場合と異なって、風防に平板ガラス１４が採用され、またアンテナ８４は直線形状に形成されている。したがって、本実施例では、導電性の文字板８０に矩形状の開口部９０が形成され、この開口部９０に多面カットされた非導電性の装飾部材８５が設置されている。なお、装飾部材８５の開口部９０に対する固定手段は、嵌合、接着、圧入など様々な手段を採用することができる。
【００７８】
このように構成された無線機能付き時計５０であっても、アンテナ８４の開放端部８４ａ、８４ｂは、開口部９０に面するとともに、その上方に非導電性の装飾部材８５が配置されているので、アンテナ８４は外部電波を良好に受信することができる。また、平板状の風防ガラス１４を介して内部を覗き込んだときに、開口部９０が多面カットされた装飾部材８５により覆われているので美感が損なわれることはない。さらに、多面カットされた装飾部材８５からの反射で光をソーラーセル８６に導くことができる。
【００７９】
図８はさらに他の実施例による無線機能付き時計２５を示したものである。この実施例では、導電性の文字板８０に所定間隔離間して円形の開口部９０、９０が形成されている。そして、これらの開口部９０は、アンテナ８４の開放端部８４ａ、８４ｂの上部にそれぞれ形成されている。また、これら開口部９０の上部に、多面カットされた装飾部材８５が設置されている。このような無線機能付き時計２５であっても、アンテナ８４による外部電波の受信は良好であるとともに、多面カットされた装飾部材８５により開口部９０が目立つことはない。また、多面カットされた装飾部材８５により内部のソーラーセルに光を導くことができる。
【００８０】
図９は、さらに他の実施例による無線機能付き時計２７を示したものである。なお、実際には、この時計２７および後述する他の時計などでは、文字板８０の下方にアンテナ８４が位置するので、下方のアンテナ８４を正面視で見ることはできないが、説明の都合上、アンテナ８４を実線で示している。
【００８１】
この実施例では、開口部９０が１つのみ形成され、その開口部９０の下方にアンテナ８４の開放端部８４ａが臨むように配置されている。したがって、本実施例の場合、アンテナ８４の他の開放端部８４ｂは、導電性の文字板８０に覆われることになるが、開放端部８４ａが開口部９０に臨むように配置されているので、外部からの電波を受信することができる。また、文字板８０の開口部９０は、多面カットされた装飾部材８５により覆われているので、美感が損なわれることはない。さらに、多面カットされた装飾部材８５により、ソーラーセルに光を導くことができる。
【００８２】
図１０は、さらに他の実施例による無線機能付き時計３１を示したものである。この実施例では、導電性の文字板８０の外周部に設けた時刻表示部３３の内側に、大きな円形状の開口部９０が形成されている。そして、この開口部９０の上部に多面カットされた非導電性の装飾部材８５が配置されている。したがって、本実施例では、アンテナ８４の全体が非導電性の装飾部材８５で覆われることになる。このような無線機能付き電波時計３１であっても、アンテナ８４が外部電波を受信できるとともに、多面カットされた装飾部材８５により開口部９０が覆われて、美感が損なわれることはない。さらに、多面カットされた装飾部材８５によりソーラーセルに十分な光を導くことができる。
【００８３】
図１１は、さらに他の実施例による無線機能付き時計３５を示したものである。この実施例では、導電性の文字板８０の外周部が環状の開口部９０となっている。そして、環状の開口部９０の上部に多面カットされた非導電性の装飾部材８５が設置されている。この実施例では、時刻表示部３３が、装飾部材８５に設けられ、この装飾部材８５が時刻表示機能を有している。また、アンテナ８４の中央部は導電性の文字板８０の下方に位置し、開放端部８４ａ、８４ｂのみが開口部９０の下方に配置されている。
【００８４】
このような無線機能付き時計３５であっても、アンテナ８４が外部電波を良好に受信できるとともに、開口部９０が多面カットされた装飾部材８５で覆われるので、美感が損なわれることはない。また、多面カットされた装飾部材８５により、ソーラ−セルに光を導くことができる。
【００８５】
図１２は、さらに他の実施例による無線機能付き時計３７を示したものである。この実施例では、文字板８０に略扇形状の開口部９０が形成されている。そして、その開口部９０に扇状の多面カットされた装飾部材８５が設置されている。この実施例では、文字板８０と装飾性部材８５の双方に時刻表示部３３が構成される。この場合には時字を配置する以外の部分を多面カットとすれば、装飾部材８５に時字を配置できる。
【００８６】
このような無線機能付き時計３７であっても、アンテナ８４の開放端部８４ａ、８４ｂが扇状の装飾性部材８５の下方に配置されるので、外部電波を良好に受信することができる。また、開口部９０が多面カットの装飾性部材８５で覆われるので美感が損なわれることはなく、ソーラーセルへの光の反射も行なうことができる。
【００８７】
図１３は、さらに他の実施例による無線機能付き時計３９を示したものである。
この実施例では、導電性の文字板８０における時刻表示位置に、円形状の開口部９０が合計４つ形成されている。そして、これら開口部９０の上部に平面視円形の装飾部材８５が設置されている。この実施例でも、装飾部材８５の一部に時字を設けている。また、アンテナ８４は、２つの開口部９０に跨って配置されている。この実施例における装飾部材８５の色調は、文字板８０の色調と異なる色調となっており、装飾部材８５自体が時刻を示す指標となっている。また、装飾部材８５に塗装被膜などを施して、文字板８０の色調と異なる色調にしても良い。
【００８８】
このような態様で装飾部材８５を配置することで、これらの装飾部材８５の部分を時刻を示す指標として、時計の使用者に容易に視認させることができる。
このような無線機能付き時計３９であっても、アンテナ８４が外部電波を受信できるとともに、美感も良好である。また、多面カットされた装飾部材８５の表面に、大文字の時刻の指標を形成することができる。
【符号の説明】
【００８９】
２５、２７、３１，３５          無線機能付き時計
３７、３９、５０、７０、１００  無線機能付き時計
７２                             時計ケース本体
７４                          風防ガラス
７４ａ                        多面カット領域
７４ｂ                        視認領域
７８                          裏蓋
８０                          金属製の文字板
８４                          アンテナ
８４ａ、８４ｂ                 開放端部
８５                           装飾部材
８６、８８                     ソーラーセル
９０、９２                     開口部
【図１】
2010230374.tif 000003
【図２】
2010230374.tif 000004
【図３】
2010230374.tif 000005
【図４】
2010230374.tif 000006
【図５】
2010230374.tif 000007
【図６】
2010230374.tif 000008
【図７】
2010230374.tif 000009
【図８】
2010230374.tif 000010
【図９】
2010230374.tif 000011
【図１０】
2010230374.tif 000012
【図１１】
2010230374.tif 000013
【図１２】
2010230374.tif 000014
【図１３】
2010230374.tif 000015
【図１４】
2010230374.tif 000016
【図１５】
2010230374.tif 000017
【図１６】
2010230374.tif 000018
【図１７】
2010230374.tif 000019
【図１８】
2010230374.tif 000020
【図１９】
2010230374.tif 000021
【図２０】
2010230374.tif 000022